(57)【要約】【課題】本発明の課題は、ワイヤプロテクタに光ケーブルもしくは光コードを押し込むだけで容易に格納できると共に、格納後はワイヤプロテクタから光ケーブルもしくは光コードが安易にはみ出すのを防止できるワイヤプロテクタを提供することにある。【解決手段】本発明は、筒状のワイヤプロテクタ本体２１と、前記ワイヤプロテクタ本体２１の下面長手方向に設けられた両面接着テープ２２と、前記ワイヤプロテクタ本体２１の上部長手方向に設けられ、光ケーブルもしくは光コード２５が挿入可能に設けられた切れ込み部２３とを具備することを特徴とするものである。【選択図】図１
2006158041.tif 000002
【特許請求の範囲】
【請求項１】
筒状のワイヤプロテクタ本体と、
前記ワイヤプロテクタ本体の上部長手方向に設けられ、光ケーブルもしくは光コードが挿入可能に設けられた切れ込み部と
を具備することを特徴とするワイヤプロテクタ。
【請求項２】
筒状のワイヤプロテクタ本体と、
前記ワイヤプロテクタ本体の下面長手方向に設けられた接着部と、
前記ワイヤプロテクタ本体の上部長手方向に設けられ、光ケーブルもしくは光コードが挿入可能に設けられた切れ込み部と
を具備することを特徴とするワイヤプロテクタ。
【請求項３】
ワイヤプロテクタ本体として、ワイヤプロテクタ本体の切れ込み部近傍に柔らかい素材を用いたことを特徴とする請求項１又は２に記載のワイヤプロテクタ。
【請求項４】
ワイヤプロテクタ本体として、ワイヤプロテクタ本体の切れ込み部近傍に軟質塩化ビニル樹脂等の軟質プラスチックを用い、ワイヤプロテクタ本体のその他の部分にポリエチレン、四フッ化エチレン樹脂等の半硬質プラスチックを用いることを特徴とする請求項３に記載のワイヤプロテクタ。
【請求項５】
接着部として、両面接着テープが貼り付けられていることを特徴とする請求項２乃至４のいずれかに記載のワイヤプロテクタ。
【請求項６】
接着部として、接着剤が塗布されていることを特徴とする請求項２乃至４のいずれかに記載のワイヤプロテクタ。
【請求項７】
切れ込み部として、ワイヤプロテクタ本体の切れ込み部近傍が互いに重なるように構成されることを特徴とする請求項１乃至６のいずれかに記載のワイヤプロテクタ。
【請求項８】
切れ込み部として、ワイヤプロテクタ本体の長手方向に直線状の切れ込み部を設けたことを特徴とする請求項７に記載のワイヤプロテクタ。
【請求項９】
切れ込み部として、間隙が設けられることを特徴とする請求項１乃至６のいずれかに記載のワイヤプロテクタ。
【請求項１０】
切れ込み部として、ワイヤプロテクタ本体の長手方向に折れ曲がった切れ込み部を設けたことを特徴とする請求項９に記載のワイヤプロテクタ。
【発明の詳細な説明】
【技術分野】
【０００１】
本発明は、主に光ネットワークを構築するための構内・宅内の露出配線工事の際に配線の保護に使用するワイヤプロテクタに関する。
【背景技術】
【０００２】
図４（ａ），（ｂ）は従来のワイヤプロテクタを示す上面図及び断面図である。すなわち、光ケーブルもしくは光コード１０を収容する断面コ字状のワイヤプロテクタ本体１１と、前記ワイヤプロテクタ本体１１の上部開口部を覆う蓋１２より構成される。この構造では、光ネットワークを構築するための構内・宅内の露出配線工事を行う際の工程は次のようになる。先ず構内・宅内の内壁に、両面接着テープ１３を用いてワイヤプロテクタ本体１１の下面を貼り付け、その後、光ケーブルもしくは光コード１０をワイヤプロテクタ本体１１内に収容し、最後に、ワイヤプロテクタ本体１１に蓋１２を被せて終了する。
【特許文献１】特開２００３−１４３７３４号公報
【発明の開示】
【発明が解決しようとする課題】
【０００３】
従来のワイヤプロテクタを用いた露出配線では、露出配線の工数が多く、作業性が低くなる。また、従来のワイヤプロテクタは光配線専用に設計されていないため、ワイヤプロテクタが光ケーブルもしくは光コードに比べて大きいので、露出配線した場合、壁の美観を損なう可能性がある。さらに、従来のワイヤプロテクタは、メタルケーブル、同軸ケーブル、電力線ケーブルにも対応するように設計されているため、ワイヤプロテクタが非常に頑丈に作られており、部材コストが高くなるほか、施工時の効率も悪くなる。
【０００４】
本発明は上記の事情に鑑みてなされたもので、ワイヤプロテクタに光ケーブルもしくは光コードを押し込むだけで容易に格納できると共に、格納後はワイヤプロテクタから光ケーブルもしくは光コードが安易にはみ出すのを防止できるので、露出配線の工数が少なく、作業性が向上し、且つワイヤプロテクタを小さく、薄く、細く作ることができ、露出配線に懸念される壁の美観を損なうことを最小限に抑えることができるワイヤプロテクタを提供することを目的とする。
【課題を解決するための手段】
【０００５】
上記目的を達成するために本発明のワイヤプロテクタは、筒状のワイヤプロテクタ本体と、前記ワイヤプロテクタ本体の下面長手方向に設けられた接着部と、前記ワイヤプロテクタ本体の上部長手方向に設けられ、光ケーブルもしくは光コードが挿入可能に設けられた切れ込み部とを具備することを特徴とするものである。
【０００６】
また本発明は、前記ワイヤプロテクタ本体として、ワイヤプロテクタ本体の切れ込み部近傍に柔らかい素材を用いたことを特徴とするものである。
【０００７】
また本発明は、前記ワイヤプロテクタ本体として、ワイヤプロテクタ本体の切れ込み部近傍に軟質塩化ビニル樹脂等の軟質プラスチックを用い、ワイヤプロテクタ本体のその他の部分にポリエチレン、四フッ化エチレン樹脂等の半硬質プラスチックを用いることを特徴とするものである。
【０００８】
また本発明は、前記接着部として、両面接着テープが貼り付けられていることを特徴とするものである。
【０００９】
また本発明は、前記接着部として、接着剤が塗布されていることを特徴とするものである。
【００１０】
また本発明は、前記切れ込み部として、ワイヤプロテクタ本体の切れ込み部近傍が互いに重なるように構成されることを特徴とするものである。
【００１１】
また本発明は、前記切れ込み部として、ワイヤプロテクタ本体の長手方向に直線状の切れ込み部を設けたことを特徴とするものである。
【００１２】
また本発明は、前記切れ込み部として、間隙が設けられることを特徴とするものである。
【００１３】
また本発明は、前記切れ込み部として、ワイヤプロテクタ本体の長手方向に折れ曲がった切れ込み部を設けたことを特徴とするものである。
【発明の効果】
【００１４】
本発明のワイヤプロテクタは、ワイヤプロテクタに光ケーブルもしくは光コードを押し込むだけで容易に格納できると共に、格納後はワイヤプロテクタから光ケーブルもしくは光コードが安易にはみ出すのを防止できるので、露出配線の工数が少なく、作業性が向上する。また、ワイヤプロテクタを小さく、薄く、細く作ることができるので、露出配線に懸念される壁の美観を損なうことを最小限に抑えることができる。
【発明を実施するための最良の形態】
【００１５】
以下図面を参照して本発明の実施の形態例を詳細に説明する。
図１（ａ）は本発明の実施形態例に係るワイヤプロテクタの一例を示す上面図であり、図１（ｂ），（ｃ）は同じく断面図である。断面台形よりなる筒状のワイヤプロテクタ本体２１の下面長手方向には両面接着テープ２２が貼り付けられて接着部が設けられる。前記ワイヤプロテクタ本体２１の上部長手方向には光ケーブルもしくは光コードが挿入可能な直線状の切れ込み部２３が設けられる。前記切れ込み部２３は、切れ込み部２３を構成するワイヤプロテクタ本体２１の両側端部２４が互いに重なるように構成される。前記ワイヤプロテクタ本体２１の両側端部２４はそれぞれ先端に行くにしたがって薄くなるように形成される。前記ワイヤプロテクタ本体２１は、ワイヤプロテクタ本体２１の切れ込み部２３近傍に柔らかい材料例えば軟質塩化ビニル樹脂等の軟質プラスチックを用い、ワイヤプロテクタ本体２１の切れ込み部２３近傍以外のその他の部分にポリエチレン、四フッ化エチレン樹脂等の半硬質プラスチックを用いる。
【００１６】
次に、光ネットワークを構築するための構内・宅内の露出配線工事を行う際の工程は次のようになる。先ず構内・宅内の内壁に、両面接着テープ２２を用いてワイヤプロテクタ本体２１の下面を貼り付け、その後、光ケーブルもしくは光コード２５をワイヤプロテクタ本体２１内に切れ込み部２３から矢印方向に押し込んで収容し、作業が完了する。このように、光ケーブルもしくは光コード２５はワイヤプロテクタ本体２１の切れ込み部２３から矢印方向に押し込むだけで容易にワイヤプロテクタ本体２１内に格納することができる。ワイヤプロテクタ本体２１内に格納した後は、切れ込み部２３を構成するワイヤプロテクタ本体２１の両側端部２４が互いに重なるように構成されているため、光ケーブルもしくは光コード２５はワイヤプロテクタ本体２１の切れ込み部２３から安易にはみ出ることがない。また、ワイヤプロテクタは蓋のない一体的な形態にできるので、露出配線の工数が少なく、作業性が向上する。また、ワイヤプロテクタは光ケーブルもしくは光コード等の光配線専用に設計できるので、ワイヤプロテクタを小さく、薄く、細く作ることができるため、露出配線に懸念される壁の美観を損なうことを最小限に抑えることができる。
【００１７】
図２（ａ）は本発明の実施形態例に係るワイヤプロテクタの他の例を示す上面図であり、図２（ｂ），（ｃ）は同じく断面図である。断面台形よりなる筒状のワイヤプロテクタ本体３１の下面長手方向には両面接着テープ３２が貼り付けられて接着部が設けられる。前記ワイヤプロテクタ本体３１の上部長手方向には光ケーブルもしくは光コードが挿入可能な波形に折れ曲がった切れ込み部３３が設けられる。前記切れ込み部３３は、切れ込み部３３を構成するワイヤプロテクタ本体３１の両側端３４間に間隙が設けられるように構成される。前記ワイヤプロテクタ本体３１の両側端部はそれぞれ先端に行くにしたがって薄くなるように形成される。前記ワイヤプロテクタ本体３１は、ワイヤプロテクタ本体３１の切れ込み部３３近傍に柔らかい材料例えば軟質塩化ビニル樹脂等の軟質プラスチックを用い、ワイヤプロテクタ本体３１の切れ込み部３３近傍以外のその他の部分にポリエチレン、四フッ化エチレン樹脂等の半硬質プラスチックを用いる。
【００１８】
次に、光ネットワークを構築するための構内・宅内の露出配線工事を行う際の工程は次のようになる。先ず構内・宅内の内壁に、両面接着テープ３２を用いてワイヤプロテクタ本体３１の下面を貼り付け、その後、光ケーブルもしくは光コード３５をワイヤプロテクタ本体３１内に切れ込み部３３から矢印方向に押し込んで収容し、作業が完了する。このように、光ケーブルもしくは光コード３５はワイヤプロテクタ本体３１の切れ込み部３３から矢印方向に押し込むだけで容易にワイヤプロテクタ本体３１内に格納することができる。ワイヤプロテクタ本体３１内に格納した後は、切れ込み部３３が波形に折れ曲がっているため、光ケーブルもしくは光コード３５はワイヤプロテクタ本体３１の切れ込み部３３から安易にはみ出ることがない。また、ワイヤプロテクタは蓋のない一体的な形態にできるので、露出配線の工数が少なく、作業性が向上する。また、ワイヤプロテクタは光ケーブルもしくは光コード等の光配線専用に設計できるので、ワイヤプロテクタを小さく、薄く、細く作ることができるため、露出配線に懸念される壁の美観を損なうことを最小限に抑えることができる。
【００１９】
図３（ａ）〜（ｄ）はそれぞれ本発明の実施形態例に係るワイヤプロテクタの異なる他の例を示す上面図である。すなわち、図３（ａ）に示すように、筒状のワイヤプロテクタ本体４１の上部長手方向には光ケーブルもしくは光コードが挿入可能な細かい波形に折れ曲がった切れ込み部４３が設けられる。また図３（ｂ）に示すように、筒状のワイヤプロテクタ本体５１の上部長手方向には光ケーブルもしくは光コードが挿入可能な直線状で所定間隔毎に下向きに半円状に折れ曲がった切れ込み部５３が設けられる。また図３（ｃ）に示すように、筒状のワイヤプロテクタ本体６１の上部長手方向には光ケーブルもしくは光コードが挿入可能な直線状で所定間隔毎に交互に上向きと下向きに半円状に折れ曲がった切れ込み部６３が設けられる。また図３（ｄ）に示すように、筒状のワイヤプロテクタ本体７１の上部長手方向には光ケーブルもしくは光コードが挿入可能な台形状の波形に折れ曲がった切れ込み部７３が設けられる。図３（ａ）〜（ｄ）に示すワイヤプロテクタは、それぞれ図２（ａ），（ｂ），（ｃ）に示すワイヤプロテクタと同様な作用、効果を有する。
【００２０】
尚、上記各実施形態例では、筒状のワイヤプロテクタ本体の下面長手方向に両面接着テープが貼り付けられて接着部が設けられる場合について説明したが、これに限らず、例えば接着部として、筒状のワイヤプロテクタ本体の下面長手方向に接着剤が塗布され、さらに接着剤の塗布面をカバーシールテープで覆い、使用時にカバーシールテープを剥がして配線するようにしてもよい。さらに、ワイヤプロテクタ本体を構内・宅内の内壁に装着する際、両面接着テープ等により接着するのではなく、釘によって打ち付けるようにしてもよい。また、本発明のワイヤプロテクタは、単心の光素線、２心以上の多心の光素線の配線にも対応できる。
【００２１】
以上説明したように本発明によれば、格納される光ケーブル、光コード、もしくは光テープ心線が非常に細く、軽量であることを利用し、ワイヤプロテクタを蓋のない一体型の構造とすることによって、光露出配線を行う際、従来のワイヤプロテクタの貼り付け、光ケーブル等の収容、ワイヤプロテクタの蓋閉めの３つの工程を、本発明ではワイヤプロテクタの貼り付けと、光ケーブル等の収容の２つの工程に減らすことができる。
【００２２】
また、本発明のワイヤプロテクタでは、光ケーブル等を直接収容できるように、以下の工夫が施されている。まず、本発明のワイヤプロテクタは、光ケーブル等が非常に軽量であることから、従来のワイヤプロテクタに比べて、柔らかい素材を使用している。特に、ワイヤプロテクタ上部の切れ込み部近傍に柔らかい材料を使っているため、ワイヤプロテクタを構内・宅内の内壁に貼り付けてから、光ケーブル等をワイヤプロテクタ上部の長手方向への切れ込み部に合わせて押し込むだけで、光ケーブル等をワイヤプロテクタ内に簡単に収容することができ、施工効率が向上する。
【００２３】
次に、ワイヤプロテクタ内に一旦収容した光ケーブル等が外に飛び出ないように、ワイヤプロテクタ上部の切れ込み部を構成するワイヤプロテクタ本体の両側端部が互いに重なるように構成されているか、あるいは光ケーブル等を収容する際の切れ込み部は直線ではなく、緩やかな曲線等に折れ曲がっている。すなわち、ワイヤプロテクタ上部の切れ込み部を構成するワイヤプロテクタ本体の両側端部が互いに重なるように構成されているため、光ケーブル等を一旦ワイヤプロテクタ内に押し込めば、ワイヤプロテクタ上部の切れ込み部が弾性力で元の位置に戻って、閉じた形になるので、ワイヤプロテクタ内から光ケーブル等が外部に飛び出ることがない。また、ワイヤプロテクタ上部の切れ込み部に隙間が空いているが、切れ込み部は直線のラインではなく、緩やかな曲線等に折れ曲がっているため、ワイヤプロテクタ内に光ケーブル等を収容する際、緩やかな曲線等に折れ曲がっている切れ込み部のラインに沿って、光ケーブル等を切れ込み部の隙間から押し込むことができる。一旦ワイヤプロテクタ内に光ケーブル等を格納したら、切れ込み部の隙間の形状と格納した光ケーブル等の形態が一致しない限り、光ケーブル等がワイヤプロテクタ内からはみ出すことはない。
【００２４】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２５】
【図１】（ａ）は本発明の実施形態例に係るワイヤプロテクタの一例を示す上面図であり、（ｂ），（ｃ）は同じく断面図である。
【図２】（ａ）は本発明の実施形態例に係るワイヤプロテクタの他の例を示す上面図であり、（ｂ），（ｃ）は同じく断面図である。
【図３】（ａ）〜（ｄ）はそれぞれ本発明の実施形態例に係るワイヤプロテクタの異なる他の例を示す上面図である。
【図４】（ａ），（ｂ）は従来のワイヤプロテクタを示す上面図及び断面図である。
【符号の説明】
【００２６】
２１…ワイヤプロテクタ本体、２２…両面接着テープ、２３…切れ込み部、２４…ワイヤプロテクタ本体の両側端部、２５…光ケーブルもしくは光コード。
【図１】
2006158041.tif 000003
【図２】
2006158041.tif 000004
【図３】
2006158041.tif 000005
【図４】
2006158041.tif 000006